(57)【特許請求の範囲】
【請求項１】
機器本体に対して操作部を着脱させるために操作部の一方側を引掛手段を介して引っ掛けた状態で操作部の他方側を着脱自在に結合する結合手段を設けた着脱装置において、
前記結合手段は、前後方向へスライドするスライド部材を前記機器本体に設けたスライド手段と、前記スライド部材の前端に設けられるとともに前記操作部を把持する把持手段とを具え、
前記把持手段は、前記操作部の前記機器本体側に突設される被把持部と、前記スライド部材の前端に設けられるとともに前記引掛手段に引っ掛けた状態で前記操作部が回動する回動軸と略平行な方向から前記被把持部を挟むように把持する一対のツメとを具える
着脱装置。
【請求項２】
前記一対のツメのうちの少なくともいずれか一方のツメは、被把持部を把持する方向へ常に付勢される
請求項１に記載の脱着装置。
【請求項３】
前記一対のツメのうちのいずれか一方を回動自在な可動ツメとし、前記被把持部を把持する方向へ可動ツメを付勢する第二付勢手段を具える
請求項２に記載の着脱装置。
【請求項４】
前記一対のツメの双方を回動自在な可動ツメとし、前記被把持部を把持する方向へ夫々の可動ツメを付勢する第二付勢手段を具える
請求項２に記載の着脱装置。
【請求項５】
前記一対のツメの双方を弾性変形が可能な材料で形成することにより、夫々のツメが撓み変形して開くようにした
請求項２に記載の着脱装置。
【請求項６】
前記スライド手段は、前記スライド部材を前方へ付勢する第一付勢手段と、当該第一付勢手段の付勢力に抗してスライド部材を後退させた状態で拘束するロック手段と、当該ロック手段によるロックを解除する解除手段とを具える
請求項１に記載の着脱装置。
【発明の詳細な説明】
【０００１】
【発明の属する技術分野】
本発明は着脱装置に関し、車載用のオーディオ機器に適用して好適なものである。
【０００２】
【従来の技術】
近年、カセットプレーヤやＣＤプレーヤやラジオ受信用チューナ等のオーディオ機器においては車載仕様のものが多く普及している。このような車載用オーディオ機器においては、運転者が車から離れた際にオーディオ機器が盗まれるということが問題になっている。
【０００３】
このため、この対策として、オーディオ機器を機器本体と操作部とに分割し、機器本体に対して操作部を着脱自在な構成にしている。運転手が車から離れる際には操作部を機器本体から取り外して持ち歩き、操作部がないと機器本体は動作しないので、機器本体が盗まれることはない。
【０００４】
前記のように操作部を取り外し可能にしたオーディオ機器において、機器本体に対して操作部を着脱させるための着脱装置としては、従来例では特開平７−１５６７１９号公報に記載のものがある。即ち、以下のように構成されている。
【０００５】
図１０，１１，１２に示すようにオーディオ機器１は機器本体２と操作部としてのフロントパネル３とで構成されている。フロントパネル３には操作ボタン４，ディスプレイ５が設けられるとともに機器本体２のカセット挿入口６ａと対応するカセット挿入口６ｂが設けられている。また、フロントパネル３の装着時に電気的に接続するための接続端子７ａ，７ｂが設けられている。
【０００６】
次に、フロントパネル３を着脱するための構成について説明する。機器本体２にはフロントパネル３の収まる枠体８が形成され、フロントパネル３の右側を引っ掛ける引掛手段９と左側を結合する結合手段１０とが設けられている。
【０００７】
引掛手段９は枠体８に形成された一対の突片１１と、フロントパネル３に形成された一対の係着部１２とで構成される。結合手段１０は図１２に示す取付支持板１３，アーム１４，ホルダ１５，ばね１６，ばね１７と、図１１に示す係合凹部１８とにより構成されている。
【０００８】
図１４はフロントパネル３を装着した状態である。アーム１４はピン１３ａを中心として回動自在であり、ばね１６の付勢力がばね１７の付勢力よりも大きいので、ピン１４ａを中心として回動自在にアーム１４に取り付けられたホルダ１５の係合部１５ａとピン１３ｂとの係合が維持され、係合部１５ｂが係合凹部１８内に係合されてフロントパネル３の装着状態が保持される。
【０００９】
フロントパネル３を取り外すには、リリースボタン１９を押す。すると、図１３に示すようにばね２０の付勢力に抗してリリースボタン１９はフロントパネル３の背面側へ突出し、離脱操作部１４ｂを押圧する。すると、図１５に示すようにアーム１４はばね１６の付勢力に抗して背面側へ押され、それに伴ってばね１７の付勢力により係合部１５ａがピン１３ｂから外れる。そして、ばね１７の付勢力によりフロントパネル３が手前側へ押し出される。そして、図１６に示すようにばね１６，１７の作用により、フロントパネル３が更に手前側へ押し出される。
【００１０】
図１６の状態では係合部１５ｂが係合凹部１８に係合してフロントパネル３が保持される。この状態でフロントパネル３をつかんで係合部１５ｂから係合凹部１８を外すと、フロントパネル３を機器本体２から完全に外すことができる。
【００１１】
次に、フロントパネル３を装着するには、図１１における一対の係着部１２を一対の突片１１に係合させたのちにフロントパネル３の左側を押し込む。すると、係合部１５ｂが係合凹部１８に嵌まり込み、図１４のようにフロントパネル３が機器本体１に装着される。
【００１２】
【発明が解決しようとする課題】
ところが、図１４からわかるように、結合手段１０による結合は係合部１５ｂが係合凹部１８に嵌まり込むことによって行われるため、両者の間に遊びが大きいとフロントパネル３が外れ易いために落下させてしまうおそれがあり、逆に遊びが小さいと破損してしまうおそれがあり、フロントパネル３の金型を起こす都度に微妙な組み合わせ検証をしなければならず煩雑であった。
【００１３】
そこで本発明は、斯かる課題を解決した着脱装置を提供することを目的とする。
【００１４】
【課題を解決するための手段】
かかる課題を解決するために本願発明は、機器本体に対して操作部を着脱させるために操作部の一方側を引掛手段を介して引っ掛けた状態で操作部の他方側を着脱自在に結合する結合手段を設けた着脱装置において、結合手段は、前後方向へスライドするスライド部材を機器本体に設けたスライド手段と、スライド部材の前端に設けられるとともに操作部を把持する把持手段とを具え、把持手段は、スライド部材の前端に設けられるとともに引掛手段に引っ掛けた状態で操作部が回動する回動軸と略平行な方向から把持する一対のツメと、操作部に形成されるとともに一対のツメによって把持される被把持部とを具えるようにした。
【００１５】
【発明の実施の形態】
以下、本発明による着脱装置をオーディオ機器に適用した実施の形態について説明する。
【００１６】
（ａ）実施の形態１
まず、実施の形態１を図１に基づいて説明する。本発明は、従来のオーディオ機器における機器本体２とフロントパネル３とを着脱自在に結合するための引掛手段９と結合手段１０とのうちの結合手段１０のみを変更したものなので、結合手段１０のみについて説明する。
【００１７】
図２に示すように、結合手段１０はスライド手段３３と把持手段２８とで構成されている。スライド手段３３は以下のようになっている。図３に示すように、ブラケット金具２２が枠体８の内側に取付部２２ｂ，２２ｃを介して取り付けられており、コの字形断面を有する部分の相互に対向する面から突出する一対のピン２３と一対の溝２４ａとを介して樹脂製のスライドプレート（スライド部材）２４が前後方向へスライド自在になっている。このスライドプレート２４を前方へ付勢するためのバネ（第一付勢手段）２５がバネ掛け部２２ａ，２４ｅ間に設けられている。また、バネ２５の付勢力に抗してスライドプレート２４を背面側へ押した状態でロックするためのロックレバー（ロック手段）２６が設けられている。ロックレバー２６は、ブラケット金具２２から上下方向へ突出する一対のピン２７を介して回動自在に設けられている。ロックレバー２６における一対のピン２７を結ぶ回動軸心から離れた位置には、スライドプレート２４と対向する面にロック凹部２６ａが形成される一方、スライドプレート２４にはロック凹部２６ａと対向する位置に突出部２４ｂが形成され、バネ掛け部２６ｂ，２２ｄ間にはロック凹部２６ａを突出部２４ｂへ向かって付勢するバネ３２が設けられている。
【００１８】
スライドプレート２４の前端には把持手段２８が設けられている。把持手段２８は固定ツメと可動ツメとによって構成されている。下方のものはスライドプレート２４と一体の固定ツメ２９であり、Ｌ字形に形成されるとともに先端には上方へ向かって凸部２９ａが形成されている。上方のものは可動ツメ３０であり、可動ツメ３０と一体の回動軸３０ｃを介してスライドプレート２４に回動自在に取り付けられており、バネ掛け部３０ｂ，２４ｃ間に設けたバネ（第二付勢手段）３４を介して把持する方向へ付勢されている。そして、可動ツメ３０を最も閉じた状態で止めるために、ストッパ２４ｄがスライドプレート２４と一体に形成されている。可動ツメ３０の下面にも凸部３０ａが形成され、把持手段２８へ向かってフロントパネル３を押圧したときに可動ツメ３０が持ち上げられて自動的に把持できるようにするため、凸部３０ａの前面側にはテーパ面３０ｂが形成されている。
【００１９】
一方、フロントパネル３における背面側には、把持手段２８によって把持される被把持部３１が形成されている。被把持部３１の構成を以下に説明する。図４（ａ）に示すように、被把持部３１は、フロントパネル３から背面側へ突出する一対の略Ｌ字形の突出部３１ａによって形成されており、ツメによる把持を容易にするための凹部３１ｂが上下の突出部３１ａの上側、下側に形成されている。
上下の突出部３１ａの背面側にはフロントパネル３を背面側へ押したときに固定ツメ２９，可動ツメ３０が開いて把持できるようにテーパ面３１ｃ，３１ｃが形成されている。一方、下方の突出部３１ａの前面側には少し力を加えると把持手段２８に把持されている被把持部３１が外れるようにするため、テーパ面３１ｄが形成されている。
【００２０】
図４に示すように本発明でも従来と同様のリリースボタン（解除手段）１９，バネ２０が設けられており、リリースボタン１９の先端が背面側へ押されることによりバネ３２の付勢力に抗してロックレバー２６をピン２３を中心として少し回動させるようになっている。即ち、ロックレバー２６を回動させて突出部２４ｂからロック凹部２６ａを外すことにより、スライドプレート２４の拘束を外すための円弧部２６ｃが、ロックレバー２６に一体に形成されている。
【００２１】
次に、斯かる着脱装置の作用を説明する。図４のようにフロントパネル３を装着した状態でリリースボタン１９を押すと、バネ２０の付勢力に抗してリリースボタン１９が背面側へ押され、円弧部２６ｃを押圧する。これによりロックレバー２６が少し回動し、ロックレバー２６のロック凹部２６ａと突出部２４ｂとの係合が外れ、バネ２５の付勢力によりスライドプレート２４が前面側へ向かってスライドする。このため、図５に示すようにフロントパネル３の他端側が押し出されることになり、フロントパネル３は一端側を中心として少し回動する。
【００２２】
この状態で、フロントパネル３の他端側を掴んで引くと、可動ツメ３０に小さな回転モーメントが加わり、可動ツメ３０がバネ３４の付勢力に抗して開く方向へ回動させられる。これにより、図６に示すように可動ツメ３０からフロントパネル３を外すことができ、図１の引掛手段９の部分を外せばフロントパネル３の全体を取り外すことが出来る。
【００２３】
次に、機器本体２にフロントパネル３を取り付けるには、機器本体２とフロントパネル３との一端どうしを係合させ、フロントパネル３の他端を機器本体２へ向かって押圧する。すると、フロントパネル３の被把持部３１における背面側の上下のテーパ面３１ｃ，３１ｃと可動ツメ３０のテーパ面３０ｂとが相互に作用するために可動ツメ３０を開く方向へ力が作用し、これと同時にスライドプレート２４には背面側へ押し込む力が作用する。
【００２４】
ここで、バネ３４のバネ定数がバネ２５のバネ定数よりも小さいことから、可動ツメ３０が開いて可動ツメ３０及び固定ツメ２９が一対の突出部３１ａを乗り越えたのちに可動ツメ３０が閉じて把持手段２８により被把持部３１を把持し、そののちにバネ２５の付勢力に抗してスライドプレート２４が後退し、フロントパネル３が確実に装着される位置まで移動すると、バネ３２の付勢力によりロックレバー２６が回動してロック凹部２６ａが突出部２４ｂの移動を拘束し、バネ２５が蓄勢された状態でスライドプレート２４がロックされる。
【００２５】
なお、上部のツメに代えて、下部のツメを可動ツメにしてもよい。
【００２６】
（ｂ）実施の形態２
次に、実施の形態２を図７に示す。これは、実施の形態１において把持手段のみを変更したものである。即ち、下部を固定ツメに代えて上部の可動ツメと同様の構成とし、一対の可動ツメ３０を把持する方向へ付勢する単一のバネ（第三付勢手段）３５を設けたものである。
【００２７】
斯かる着脱装置においては、双方のツメが回動するので、把持手段による被把持部の把持と開放とが軽快にソフトなタッチで行われる。
【００２８】
その他の構成、作用は実施の形態１と同じなので、説明を省略する。
【００２９】
（ｃ）実施の形態３
次に、実施の形態３を図８に示す。実施の形態２の場合は、一対の可動ツメにバネによって付勢力を加えるものであるが、この実施の形態では一対の固定ツメ３６をスライドプレート２４と一体に形成するとともに、これらを樹脂で形成したものである。そして、樹脂の有する弾性力をバネの代わりに用いるため、固定ツメ３６は撓み易いように横断面積が小さく設定される。
【００３０】
斯かる着脱装置の作用は実施の形態２と同様である。
【００３１】
その他の構成、作用は実施の形態１と同じなので説明を省略する。
【００３２】
（ｄ）実施の形態４
最後に、実施の形態４を図９に示す。この実施の形態は一対の固定ツメが弾性力の作用で閉じるようにした点は実施の形態３と同じであるが、この場合は単一の金属板で形成した一対の固定ツメ３７ａからなるコの字形の単一のツメユニット３８を図示しないビスを介して、又は樹脂の溶着等によりスライドプレート２４に取り付けたものである。金属板が撓んだときに復帰しようとする弾性力が把持力となって作用するので、実施の形態３の場合と同様に作用する。
【００３３】
その他の構成、作用は実施の形態１と同じなので説明を省略する。
【００３４】
なお、実施の形態１〜４では着脱装置を車載用のオーディオ機器に適用した場合を示したが、一般家庭のオーディオ機器やテレビ等に適用することもできる。
【００３５】
【発明の効果】
以上の説明からわかるように、請求項１〜６に係る着脱装置によれば独立した動作を行うスライド手段と把持手段とからなる結合手段と、引掛手段とにより操作部を機器本体に着脱自在に取り付けるので、操作部の他端側をスライドさせる動作と、操作部と機器本体とを結合・分離させる動作とが分離されており、結合・分離させる動作は把持又は開放という形式であるため、従来のように嵌まり込みという形式をとる場合に生じる遊びの大きさの問題が生じず、組み合わせ検証の必要もない。
【００３６】
また、従来のように嵌め込み形式ではなく、把持形式により機器本体と操作部とを結合するので、一方側と他端側とを結ぶ方向での結合手段が占有するスペースが従来に比べて略１／３で済み、記録媒体としてのコンパクトディスクやカセットテープ等のメディアを挿入する挿入口を配置するための自由度が大きい。また、把持・開放による着脱なので、操作部を着脱する際のフィーリングが従来に比べて良く、安心感がある。
【図面の簡単な説明】
【図１】本発明による着脱装置を用いたオーディオ機器の実施の形態１におけるフロントパネルを取り外した状態の斜視図。
【図２】本発明による着脱装置を用いたオーディオ機器の実施の形態１における結合手段の斜視図。
【図３】本発明による着脱装置の実施の形態１における分解斜視図。
【図４】本発明による着脱装置の実施の形態１におけるフロントパネルを装着した状態に係り、（ａ）は正面図、（ｂ）は底面図。
【図５】本発明による着脱装置の実施の形態１におけるフロントパネルの他端側を引き出した状態を示す正面図。
【図６】本発明による着脱装置の実施の形態１におけるフロントパネルの他端を引き出してフロントパネルの他端を一対のツメから引き外した状態を示す正面図。
【図７】本発明による着脱装置を用いたオーディオ機器の実施の形態２における結合手段に係り、（ａ）は正面図、（ｂ）は右側面図。
【図８】本発明による着脱装置を用いたオーディオ機器の実施の形態３における結合手段に係り、（ａ）は正面図、（ｂ）は右側面図。
【図９】本発明による着脱装置を用いたオーディオ機器の実施の形態４における結合手段に係り、（ａ）は正面図、（ｂ）は右側面図。
【図１０】従来の着脱装置を用いたオーディオ機器における斜視図。
【図１１】従来の着脱装置を用いたオーディオ機器におけるフロントパネルを開いた状態の斜視図。
【図１２】従来の着脱装置を用いたオーディオ機器における結合手段の分解斜視図。
【図１３】従来の着脱装置を用いたオーディオ機器におけるリリースボタンの説明図。
【図１４】従来の着脱装置を用いたオーディオ機器におけるフロントパネル装着時の作用説明図。
【図１５】従来の着脱装置を用いたオーディオ機器におけるリリースボタンを押したときの作用説明図。
【図１６】従来の着脱装置を用いたオーディオ機器におけるフロントパネルの他端を開いたときの作用説明図。
【符号の説明】
１…オーディオ機器
２…機器本体
３…フロントパネル
９…引掛手段
１０…結合手段
１９…リリースボタン
２４…スライドプレート
２５，３２，３４…バネ
２６…ロックレバー
２８…把持手段
２９，３６，３７ａ…固定ツメ
３０…可動ツメ
３１…被把持部
３３…スライド手段
３８…ツメユニット
【図１】
0004618472.tif 000002
【図２】
0004618472.tif 000003
【図３】
0004618472.tif 000004
【図４】
0004618472.tif 000005
【図５】
0004618472.tif 000006
【図６】
0004618472.tif 000007
【図７】
0004618472.tif 000008
【図８】
0004618472.tif 000009
【図９】
0004618472.tif 000010
【図１０】
0004618472.tif 000011
【図１１】
0004618472.tif 000012
【図１２】
0004618472.tif 000013
【図１３】
0004618472.tif 000014
【図１４】
0004618472.tif 000015
【図１５】
0004618472.tif 000016
【図１６】
0004618472.tif 000017